【事件の表示】
　平成　８年特許願第　２２６０９号「コンピュータ制御装置およびコンピュータ制御システム」拒絶査定に対する審判事件［平成　８年１１月２９日出願公開、特開平　８−３１４６２５］について、次のとおり審決する。
【結　論】
　本件審判の請求は、成り立たない。
【理　由】
　
１．手続の経緯・本願発明
　本願は、平成８年２月８日（パリ条約による優先権主張 1995年（平成７年）５月３日、米国）の特許出願であって、その発明を特定するために必要な事項は、平成10年９月３日付けの手続補正書により補正された明細書の特許請求の範囲の請求項１〜12に記載されたとおりの「コンピュータ制御装置、及びコンピュータ制御システム」であって、その請求項１に係る発明は、特許請求の範囲の請求項１に記載された事項により特定される次のとおりのものである（以下、「本願発明」という。）。なお、平成12年６月30日付けの手続補正は却下された。
 「【請求項１】　ホストシステムによって駆動されているディスプレイに表示されているグラフィカルオブジェクトの動きを制御するためのコンピュータ制御装置であって、
　卵形の形状を有し、
　上記コンピュータ制御装置に与えられた動きにより発生する加速度を検出するための加速度測定手段と、
　上記加速度測定手段により検出された加速度を上記ホストシステムに伝達するための加速度信号伝達手段と
　を備えていることを特徴とするコンピュータ制御装置。」
　
２．引用例に記載された発明
  これに対し、原査定の拒絶の理由に引用された特開平7-98630号公報（平成７年４月11日公開。以下、「引用例１」という。）は、三次元位置入力装置に関するもので、次の技術事項が記載されている。
(i) 「【産業上の利用分野】　本発明は、主に三次元CADや三次元シュミレションゲーム、FAロボット等の位置入力装置およびセンサーに利用される三次元位置入力装置に関するものである。」（段落【0001】を参照。）
(ii)「【問題点を解決するための手段】　・・・本発明は、空間マウスと、該空間マウスよりの信号を受信して、空間マウスの移動に伴う空間座標および移動量を算出し、かつ算出データを三次元位置情報として送出する受信装置とを備え、前記空間マウスは、小型ケースに内蔵のバッテリー、慣性センサー、送信ユニットおよびスイッチを含み、前記受信装置は、前記慣性センサー出力を受信する受信部と該受信部よりの慣性データを演算処理する慣性データ演算部と該演算部よりの算出データを計算機やFA機器等へ送出するインターフェイス部とを含む構成を特徴とするものである。」（段落【0005】を参照。）
(iii)「【実施例】　実施例について図面を参照し、その作用と共に説明する。図１は本発明に係る三次元位置入力装置の一例での構成図で、同図において、本装置は空間マウスと受信装置により構成されている。空間マウス１は、手の平に収まり、軽量である小型ケース２にバッテリー３、慣性センサー４、マルチプレクサー回路５、送信ユニット６が内蔵されると共に、ケース２の外側には、バッテリー３と接続の充電用端子７と電極用端子８およびマルチプレクサー回路５の切り換えスイッチ９を有して構成され、ケースの空間移動に伴う慣性センサー４の出力はアンテナ10より送信される。
　慣性センサー４は、図２に示されるように、三次元方向（Ｘ、Ｙ、Ｚ）に振動ジャイロセンサー11X、11Y、11Zと加速度センサー12X、12Y、12Zが配置されて構成され、各センサーの出力は、Ｘ、Ｙ、Ｚ軸の変位量として検出されるようになっている。
　受信装置20は、空間マウス１よりの信号を受信して空間マウス１の移動に伴う空間座標および移動量を算出し、かつ算出データを三次元位置情報として計算機やFA機器等へ送出するもので、該受信装置20は、充電用端子22と電極用端子23を有するマウスソケット21と、ケース24に内蔵され、かつアンテナ25よりのセンサー出力を受信する受信部26と、該受信部26よりの慣性データを演算処理する慣性データ演算部27と該演算部27よりの算出データを外部の計算機やFA機器等にコネクタ29を介して送出するインターフェイス部28および商用電源線31よりの電源30を有している。
　上記の構成において、慣性センサー４によりケースの空間移動による方向（Ｘ、Ｙ、Ｚ）の加速度と角速度が得られ、これが無線で送信される。送信されたデータは受信装置20で受信され、検波されてデータに復調される。この復調されたデータは慣性データ演算部27の演算用レジスタに送られてデータは単位時間当りで演算され、単位時間当たりの空間距離と回転角度が算出される。これにより単位時間での移動点が求まり、この値は積和演算用メモリ貯め置かれる。空間マウス１よりスイッチ９の切り換によるスイッチ信号が送信される都度に、積和演算用メモリのデータは積和演算処理されて原点からの空間座標が算出される。算出されたデータはコンピュータ等の高速標準インターフェイスにより計算機等へ送られ、計算機等のアプリケーションソフトでは、このデータを基に三次元での作業等の処理が行われ、CRTに表示される。」（段落【0006】〜【0009】を参照。）
　
　引用例１に記載された三次元位置入力装置は、三次元CADや三次元シュミレションゲーム、FAロボット等の位置入力装置に使用されるものであるから、空間マウスによりCRTに表示されているグラフィカルオブジェクトの動きを制御するものであることは明らかである。
　
　上記記載事項及び図面の記載を総合勘案すると、結局上記引用例１には次の発明が記載されているものと認める。
　
  計算機等によって駆動されているCRTに表示されているグラフィカルオブジェクトの動きを制御するための空間マウス１であって、
　手の平に収まる形状を有し、
　上記空間マウスに与えられた動きにより発生する加速度を検出するための加速度センサー12X、12Y、12Zと、
　上記加速度センサーにより検出された加速度を上記計算機等に伝達するための送信ユニット６、及びアンテナ10と
　を備えている空間マウス。
　
  同じく引用された特開昭64-28720号公報（以下、「引用例２」という。）は、３次元データ入力装置に関するもので、次の技術事項が記載されている。
(i）「〔産業上の利用分野〕
　本発明は、データ入力装置に係り、特に３次元の移動及び回転などを入力するのに好適な３次元データ入力装置に関する。」（第１頁左下欄最下行〜同頁右上欄第３行目を参照。）
(ii)「以下、本発明の一実施例を第１図により説明する。
　第１図は本発明の実施例の断面図である。11は球殻、12は球殻内部であり液体で満たされている。13は球殻内面に取りつけられたｘ軸方向の圧力変化を測定するための圧力センサであり、圧電素子のように圧力により電荷が発生するもの、又は抵抗率が変化するものを用いる。14は球殻内面に取り付けられたｙ軸方向の圧力変化を測定するための圧力センサ、15は球殻内面に取り付けられたｚ軸方向の圧力変化を測定するための圧力センサ、16はセンサ出力、17は演算処理部である。
　まず、第１図の球殻が静止状態にあるとき、それぞれの方向の圧力センサ13、14、15のセンサ出力を初期状態とする。球殻を動かすと、球殻の加速度に比例して、球殻内面に、運動方向に負の圧力変動が、逆方向に正の圧力変動が生じる。その圧力変動を、ｘ、ｙ、ｚ軸それぞれの圧力センサ13、14、15で測定し、そのセンサ出力16を演算処理部17へ出力する。演算処理部17ではセンサ出力のベクトル和より、球殻の加速方向及び加速度量を求め、それを時間に対して重積分を行うことにより球殻の運動方向及び移動距離を求めそのデータを３次元データ出力部18より出力する。また球殻の回転は、球殻の回転による重力加速度方向の変化による球殻内面の圧力変動より求める。」（第２頁左上欄第18行目〜同頁左下欄第５行目を参照。）
　
３．対比・判断
  本願発明と上記引用例１に記載された発明とを対比する。引用例１に記載された発明における「CRT」、及び「計算機等」は、本願発明における「ディスプレイ」、及び「ホストシステム」に相当する。引用例１に記載された発明における「空間マウス１」は、CRT（ディスプレイ）に表示されているグラフィカルオブジェクトの動きを制御するためのものであるから、本願発明における「コンピュータ制御装置」に相当する。また、該「空間マウス」の形状は「手の平に収まる形状」である点で、本願発明の「卵形の形状」と共通する。引用例１に記載された発明における「加速度センサー12X、12Y、12Z」、及び「送信ユニット６、及びアンテナ10」は、本願発明における「加速度測定手段」、及び「加速度信号伝達手段」に相当する。そうすると、本願発明と引用例１に記載された発明とは、次の点で一致する。
  ホストシステムによって駆動されているディスプレイに表示されているグラフィカルオブジェクトの動きを制御するためのコンピュータ制御装置であって、
　手の平に収まる形状を有し、
　上記コンピュータ制御装置に与えられた動きにより発生する加速度を検出するための加速度測定手段と、
　上記加速度測定手段により検出された加速度を上記ホストシステムに伝達するための加速度信号伝達手段と
　を備えているコンピュータ制御装置。
そして、次の点で相違する。
  コンピュータ制御装置の形状に関し、本願発明においては「卵形の形状」であり、引用例１に記載された発明においては手の平に収まる形状であるが卵形の形状とすることについては示されていない点。
　
  そこで、上記相違点について検討する。
　引用例２には、内部に加速度センサを有し、球形をした３次元データ入力装置が記載されており、また、卵形の形状を有するデータ入力装置自体は本願出願前に周知のものである（必要があれば、特開平4-152414号公報、特開平1-250121号公報、特開平1-133127号公報を参照されたい。）から、引用例１に記載された発明においても、内部に加速度センサを有する空間マウス（本願発明の「コンピュータ制御装置」に相当）を、上記周知のもののように卵形の形状とすることは当業者が容易に想到できたものである。
　
４．むすび
  以上のとおりであって、本願の特許請求の範囲の請求項１に係る発明は、上記引用例１、２に記載された発明及び上記周知事項に基づいて当業者が容易に発明をすることができたものであるから、特許法第29条第２項の規定により特許を受けることができない。
　したがって、本願は、その余の請求項について論及するまでもなく、拒絶すべきものである。
　よって、結論のとおり審決する。